(57)【要約】【課題】本発明は、治療内容の切換えの妥当性を適切に評価することを診療情報処理システム及び診療情報処理プログラムを提供すること可能にすることを目的とする。【解決手段】本発明に係る診療情報処理システムは、複数の患者の治療内容の履歴を記憶する記憶部と、治療内容の履歴から、切換え前と切換え後の治療内容の組み合わせとして出現する切換えパターンを抽出する抽出部と、治療内容の履歴に含まれる切換えパターンの出現回数に基づく第１の注目度、又は、切換えパターンにおける切換え後の治療内容の継続期間に基づいて当該切換えパターンの第２の注目度を算出する算出部と、切換えパターン毎に、少なくとも第１及び第２の注目度のいずれかに応じた形態で出力する出力処理部と、を有する。【選択図】図１
2018124764.tif 000002
【特許請求の範囲】
【請求項１】
複数の患者の治療内容の履歴を記憶する記憶部と、
前記治療内容の履歴から、切換え前と切換え後の前記治療内容の組み合わせとして出現する切換えパターンを抽出する抽出部と、
前記治療内容の履歴に含まれる前記切換えパターンの出現回数に基づく第１の注目度、又は、前記切換えパターンにおける前記切換え後の治療内容の継続期間に基づく当該切換えパターンの第２の注目度を算出する算出部と、
前記切換えパターン毎に、少なくとも前記第１及び第２の注目度のいずれかに応じた形態で出力する出力処理部と、
を有することを特徴とした診療情報処理システム。
【請求項２】
前記算出部は、前記出現回数が多いほど高くなるように前記第１の注目度を算出し、前記継続期間が長いほど高くなるように前記第２の注目度を算出し、前記第１の注目度及び前記第２の注目度が高いほど高くなるように注目度を算出し、
前記出力処理部は、前記注目度が、所定値以上の切換えパターンと前記所定値未満の切換えパターンとを区別して出力する、請求項１に記載の診療情報処理システム。
【請求項３】
前記出力処理部によって出力された切換えパターンを表示する表示部を更に有し、
前記出力処理部は、前記注目度が前記所定値以上の切換えパターンと前記注目度が前記所定値未満の切換えパターンとを、互いに異なる表示態様で前記表示部に表示させる、請求項２に記載の診療情報処理システム。
【請求項４】
前記出力処理部は、前記注目度が前記所定値以上の切換えパターンについて、前記切換え前の治療内容の継続期間の長さを示す第１の図形と、前記切換え後の治療内容の継続期間の長さを示す第２の図形とを接続させ、前記注目度が前記所定値未満の切換えパターンについて、前記第１の図形と、前記第２の図形とを接続させずに、前記表示部に表示させる、請求項３に記載の診療情報処理システム。
【請求項５】
前記出力処理部は、
第１の切換えパターン及び第２の切換えパターンが連続する場合、前記第１の切換えパターンの前記第２の図形を、前記第２の切換えパターンの前記第１の図形として使用し、
前記注目度が前記所定値未満の切換えパターンが連続する場合、直前の前記注目度が前記所定値以上の切換えパターンの第２の図形と、直後の前記注目度が前記所定値以上の切換えパターンの第１の図形とを接続させて前記表示部に表示させる、請求項４に記載の診療情報処理システム。
【請求項６】
記憶部を有するコンピュータの診療情報処理プログラムであって、
複数の患者の治療内容の履歴を前記記憶部に記憶し、
前記治療内容の履歴から、切換え前と切換え後の前記治療内容の組み合わせとして出現する切換えパターンを抽出し、
前記治療内容の履歴に含まれる前記切換えパターンの出現回数に基づく第１の注目度、又は、前記切換えパターンにおける前記切換え後の治療内容の継続期間に基づく当該切換えパターンの第２の注目度を算出し、
前記切換えパターン毎に、少なくとも前記第１及び第２の注目度のいずれかに応じた形態で出力する、
ことを前記コンピュータに実行させることを特徴とする診療情報処理プログラム。
【発明の詳細な説明】
【技術分野】
【０００１】
本発明は、患者の診療実績データを分析するための診療情報処理システム及び診療情報処理プログラムに関する。
【背景技術】
【０００２】
従来から、病院内外の医療管理者や事務管理者等の評価者は、医療の質をより一層向上させるために、患者に対して行われた治療内容の妥当性を評価していた。近年では、医師等によって予め定められた入院患者の治療計画（クリニカルパス）と当該入院患者に対して実際に行われた治療内容との差異（バリアンス）に基づいて、治療内容の妥当性を評価する装置が知られている。
【０００３】
例えば、特許文献１には、医療行為を行った結果を示す結果データとクリニカルパスとのバリアンスを判定する病院情報システムが記載されている。この病院情報システムは、バリアンスが発生していると判定した場合、バリアンスの発生や対処法等を医療従事者に提供する。
【先行技術文献】
【特許文献】
【０００４】
【特許文献１】特開２００５−１８２３６２号公報
【発明の概要】
【発明が解決しようとする課題】
【０００５】
特許文献１に記載された従来のシステムは、クリニカルパスに含まれる治療内容と実際に行われた治療内容とを、個別に比較して評価する。一方、治療内容の妥当性を評価する方法として、治療内容を個別に評価する方法の他に、治療内容の切換えの妥当性を評価する方法がある。例えば、治療内容の切換えの妥当性は、病院で記録された診療実績データから抽出された治療内容の推移に基づいて評価される。
【０００６】
治療内容の切換えには、患者の病態の変化を要因とする切換えと、患者の病態以外の要因（「手術前の休薬」又は「飲み忘れ等による処方合わせ」等）による短期的な切換えとがある。評価者は、治療内容の切換えの妥当性を評価する場合、患者の病態の変化を要因とする治療内容の切換えと患者の病態以外の要因による治療内容の切換えとを区別する必要がある。
【０００７】
しかしながら、一般に診療実績データには、治療内容の切換えが患者の病態の変化を要因とするものであるか否かを示す情報は記録されていない。そのため、評価者は、患者の病態の変化を要因とする治療内容の切換えと患者の病態以外の要因による治療内容の切換えとを容易に区別することができず、治療内容の切換えの妥当性を適切に検討することが困難な場合があった。
【０００８】
例えば、患者の病態の変化によって切換えられた治療内容について治療内容の推移を分析したり、表示装置に表示させたりする場合には、評価者が、予め多数の診療実績データを目視で精査して、患者の病態の変化を要因とする治療内容の切換えとそれ以外の要因による治療内容の切換えを区別しておく必要があった。このため、治療内容の切換えの妥当性を適切に評価することは、容易ではなかった。
【０００９】
本発明は、このような従来の課題を解決すべくなされたものであり、治療内容の切換えの妥当性を適切に評価することを可能にする診療情報処理システム及び診療情報処理プログラムを提供することを目的とする。
【課題を解決するための手段】
【００１０】
本発明に係る診療情報処理システムは、複数の患者の治療内容の履歴を記憶する記憶部と、治療内容の履歴から、切換え前と切換え後の治療内容の組み合わせとして出現する切換えパターンを抽出する抽出部と、治療内容の履歴に含まれる切換えパターンの出現回数に基づく第１の注目度、又は、切換えパターンにおける切換え後の治療内容の継続期間に基づく当該切換えパターンの第２の注目度を算出する算出部と、切換えパターン毎に、少なくとも第１及び第２の注目度のいずれかに応じた形態で出力する出力処理部と、を有する。
【００１１】
また、本発明に係る診療情報処理システムにおいて、算出部は、出現回数が多いほど高くなるように第１の注目度を算出し、継続期間が長いほど高くなるように第２の注目度を算出し、第１の注目度及び第２の注目度が高いほど高くなるように注目度を算出し、出力処理部は、注目度が、所定値以上の切換えパターンと所定値未満の切換えパターンとを区別して出力することが好ましい。
【００１２】
また、本発明に係る診療情報処理システムにおいて、出力処理部によって出力された切換えパターンを表示する表示部を更に有し、出力処理部は、注目度が所定値以上の切換えパターンと注目度が所定値未満の切換えパターンとを、互いに異なる表示態様で表示部に表示させることが好ましい。
【００１３】
また、本発明に係る診療情報処理システムにおいて、出力処理部は、注目度が所定値以上の切換えパターンについて、切換え前の治療内容の継続期間の長さを示す第１の図形と、切換え後の治療内容の継続期間の長さを示す第２の図形とを接続させ、注目度が所定値未満の切換えパターンについて、第１の図形と、第２の図形とを接続させずに、表示部に表示させることが好ましい。
【００１４】
また、本発明に係る診療情報処理システムにおいて、出力処理部は、第１の切換えパターン及び第２の切換えパターンが連続する場合、第１の切換えパターンの第２の図形を、第２の切換えパターンの第１の図形として使用し、注目度が所定値未満の切換えパターンが連続する場合、直前の注目度が所定値以上の切換えパターンの第２の図形と、直後の注目度が所定値以上の切換えパターンの第１の図形とを接続させて表示部に表示させることが好ましい。
【００１５】
本発明に係る診療情報処理システムは、記憶部を有するコンピュータの診療情報処理プログラムであって、複数の患者の治療内容の履歴を記憶部に記憶し、治療内容の履歴から、切換え前と切換え後の治療内容の組み合わせとして出現する切換えパターンを抽出し、治療内容の履歴に含まれる切換えパターンの出現回数に基づく第１の注目度、又は、切換えパターンにおける切換え後の治療内容の継続期間に基づく当該切換えパターンの第２の注目度を算出し、切換えパターン毎に、少なくとも第１及び第２の注目度のいずれかに応じた形態で出力する、ことをコンピュータに実行させる。
【発明の効果】
【００１６】
本発明に係る診療情報処理システム及び診療情報処理プログラムによって、治療内容の切換えの妥当性を適切に評価することが可能となる。
【図面の簡単な説明】
【００１７】
【図１】診療情報処理システム１の概略を説明するための模式図である。
【図２】診療情報処理システム１の概略構成の一例を示す図である。
【図３】（ａ）は、患者疾患リストのデータ構造の一例を示す図であり、（ｂ）は、患者医療行為履歴のデータ構造の一例を示す図であり、（ｃ）は、疾患別医療行為リストのデータ構造の一例を示す図である。
【図４】（ａ）は、治療内容リストのデータ構造の一例を示す図であり、（ｂ）は、切換えパターンリストのデータ構造の一例を示す図である。
【図５】治療継続期間リストのデータ構造の一例を示す図である。
【図６】（ａ）は、切換え頻度リストのデータ構造の一例を示す図であり、（ｂ）は、患者別切換え頻度リストのデータ構造の一例を示す図である。
【図７】注目度リストのデータ構造の一例を示す図である。
【図８】（ａ）〜（ｃ）は、表示装置３に表示される画面の一例を示す図である。
【図９】（ａ）及び（ｂ）は、表示装置３に表示される切換えパターンの一例を説明するための模式図である。
【図１０】注目度算出処理のフローチャートの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
（診療情報処理システムの概略）
本実施形態の診療情報処理システムは、病院で記録された複数の患者の診療実績データを分析するための情報処理装置と、情報処理装置によって分析された結果を、評価者に対して表示する表示装置とを有する。診療実績データは、例えば、ＤＰＣ（Diagnosis Procedure Combination）データであるが、病院等の医療機関で記録された、各患者の疾患情報、並びに、各患者に対する医療行為及び医療行為が実施された実施日を含むデータであれば、どのようなデータでもよい。なお、疾患情報は、疾患名又は疾患を識別するための識別情報等である。疾患情報は、個別の疾患を識別する疾患名又は識別情報に限らず、例えば、類似の又は同質の傷病を総称した傷病分類を識別し得る情報であってもよい。また、医療行為は、病気や怪我等に対する治療又は診断等の行為であり、例えば、投薬、各種検査、手術等である。
【００２０】
図１は、診療情報処理システムによって実施される切換えパターンの出力処理の一例を説明するための模式図である。以下、図１を参照しつつ、診療情報処理システムの概略について説明する。
【００２１】
診療情報処理システムは、所定の疾患を患った複数の患者のそれぞれに対して実施された治療内容の履歴を記憶する。治療内容は、例えば、１日のうちに患者が受けた医療行為である。なお、治療内容は、１日単位に限らず、所定の期間単位（例えば、６時間単位、１週間単位等）で患者が受けた医療行為でもよい。以下、１日のうちに患者が受けた医療行為を、治療内容とした場合を例にして説明する。
【００２２】
図１の（１）は、「疾患あ」を患った各患者に対応付けられた治療内容の履歴の一例である。例えば、「疾患あ」を患った患者１に対して実施された治療内容は、２０１６年４月５日に実施された治療Ａ、２０１６年８月３日に実施された治療Ｂ、２０１６年８月１８日に実施された治療Ａ、２０１６年９月１７日に実施された治療Ｃ、等である。また、同じ「疾患あ」を患った患者２に対して実施された治療内容は、２０１６年５月９日に実施された治療Ａ、２０１６年９月２６日に実施された治療Ｃ、２０１６年１２月１５日に実施された治療Ｄ、等である。
【００２３】
次に、診療情報処理システムは、記憶された治療内容の履歴から、治療内容の切換えの際の切換え前の治療内容と切換え後の治療内容との組み合わせを、切換えパターンとして複数抽出する（図１の（２））。図１の（１）に示される治療内容の履歴の例では、まず、診療情報処理システム１は、患者１に対して最初に実施された治療内容「治療Ａ」と２番目に実施された治療内容「治療Ｂ」との組み合わせを、切換えパターン「治療Ａ→治療Ｂ」として抽出する。次に、診療情報処理システムは、患者１に対して２番目に実施された治療内容「治療Ｂ」と３番目に実施された治療内容「治療Ａ」との組み合わせを、切換えパターン「治療Ｂ→治療Ａ」として抽出する。以降、診療情報処理システムは、患者１における切換えパターンを、記録された治療内容の履歴の時系列に従って順次抽出する。また、診療情報処理システムは、同じ「疾患あ」を患った患者２等の他の患者についても、記録された治療内容の履歴の時系列に従って、切換えパターンを順次抽出する。
【００２４】
次に、診療情報処理システムは、抽出された複数の切換えパターン毎に、出現回数又は治療継続期間を算出する。
【００２５】
出現回数の算出では、診療情報処理システムは、抽出された各切換えパターンと同一の種類の、治療内容の履歴における切換えパターンの数を、各切換えパターンの出現回数として算出する（図１の（３））。例えば、診療情報処理システムは、抽出された全ての切換えパターンを算出対象として特定し、算出対象に含まれる、抽出された各切換えパターンと同一種類の切換えパターンの数を、出現回数として計数する。なお、算出対象とする切換えパターンは、抽出された全ての切換えパターンのうちの一部の切換えパターンでもよい。
【００２６】
また、治療継続期間の算出では、診療情報処理システムは、抽出された各切換えパターンにおける切換え後の治療内容を特定し、特定した治療内容が実施された実施日と、特定した治療内容の次の治療内容が実施された実施日との間の期間を、治療継続期間として算出する（図１の（４））。例えば、患者１における切換えパターン「治療Ａ→治療Ｂ」では、切換え後の治療内容「治療Ｂ」の実施日は、２０１６年８月３日であり、当該「治療Ｂ」の次の治療内容「治療Ａ」の実施日は、２０１６年８月１８日である。したがって、切換えパターン「治療Ａ→治療Ｂ」の治療継続期間は、１５日間である。
【００２７】
次に、診療情報処理システムは、出現回数又は治療継続期間に基づいて、注目度を算出する（図１の（５））。例えば、診療情報処理システムは、各切換えパターンの出現回数が多いほど、高くなるように第１の注目度を算出し、又は、各切換えパターンの治療継続期間が長いほど、高くなるように第２の注目度を算出する。なお、診療情報処理システムは、第１の注目度及び第２の注目度が高いほど、高くなるように注目度を算出する。
【００２８】
そして、診療情報処理システムは、第１の注目度又は第２の注目度に応じた形態で、切換えパターンを出力する。例えば、診療情報処理システムは、抽出された全て又は一部の切換えパターンを、注目度が所定値以上の切換えパターンと、注目度が所定値未満の切換えパターンとを区別して出力する。なお、切換えパターンの出力先の装置は、切換えパターンを表示するための表示装置又は切換えパターンを分析するための分析装置である。例えば、図１の（６）に示されるとおり、診療情報処理システムは、注目度が所定値以上の切換えパターンを、表示装置における表示対象として出力し、注目度が所定値未満の切換えパターンを、表示装置における非表示対象として出力する。または、診療情報処理システムは、注目度が所定値以上の切換えパターンを、分析装置における分析対象として出力し、注目度が所定値未満の切換えパターンを、分析装置における非分析対象として出力する。
【００２９】
患者の病態以外の要因による治療内容の切換えの出現回数は、患者の病態の変化を要因とする治療内容の切換えの出現回数よりも少ない場合が多い。また、患者の病態以外の要因による治療内容の切換え後の治療内容の治療継続期間は、患者の病態の変化を要因とする治療内容の切換えの治療継続期間よりも短い場合が多い。上述のとおり、診療情報処理システムは、出現回数又は治療継続期間に応じた切換えパターンを出力するため、評価者は、患者の病態の変化を要因とする治療内容の切換えと患者の病態以外の要因による治療内容の切換えとを区別して治療内容の切換えの妥当性を評価することが可能となる。
【００３０】
これにより、評価者は、患者の病態に応じた治療内容の切換えと患者の病態以外の要因による治療内容の切換えとを区別して治療内容の推移等を確認することができ、治療内容の切換えの妥当性を適切に評価することが可能になる。
【００３１】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３２】
（診療情報処理システム１の概略構成）
図２は、診療情報処理システム１の概略構成の一例を示す図である。
【００３３】
診療情報処理システム１は、情報処理装置２及び表示装置３を有する。情報処理装置２及び表示装置３は、有線又は無線の通信ネットワーク４で接続され、相互に各種の情報を送受信する。情報処理装置２は、診療実績データ等に基づいて、所定の疾患を患った各患者における治療内容の切換えパターンを抽出する。そして、情報処理装置２は、抽出された切換えパターン毎に注目度を算出し、算出された注目度とともに切換えパターンを表示装置３に出力する。診療情報処理システム１の表示装置３は、情報処理装置２から取得した切換えパターンを注目度に応じて表示出力する。なお、表示装置３は、表示部の一例である。
【００３４】
なお、診療情報処理システム１は、さらに分析装置（図示せず）を備えてもよい。例えば、分析装置は、実際に行われた治療内容の切換えがクリニカルパスやガイドラインに基づく標準治療に則ったものであるか否かを評価する機能を有する。また、分析装置は、治療内容の切換えパターンの種類を特定し、種類毎の切換えパターンの件数、特定の疾患において所定数以上実施されている治療内容の切換えパターンの種類を抽出する機能等を有する。
【００３５】
この場合、情報処理装置２は、切換えパターンを分析装置に出力し、分析装置は、切換えパターンに基づいて分析した分析結果を表示装置３に出力し、表示装置３は、分析装置から取得した分析結果を表示出力してもよい。分析装置は、情報処理装置２から出力された注目度を、切換えパターンとともに取得し、注目度に応じて切換えパターンを分析する。例えば、分析装置は、取得した切換えパターンを「注目度の高い治療内容の切換え」及び「注目度の低い治療内容の切換え」にそれぞれ絞り込んで分析する。なお、情報処理装置２は、抽出した切換えパターンを注目度に応じて区別し、区別された切換えパターンを、表示装置３又は分析装置に出力し、表示装置３又は分析装置は、取得した切換えパターンを用いて表示又は分析を行ってもよい。
【００３６】
なお、情報処理装置２及び表示装置３は、同一の装置として構成されてもよい。例えば、情報処理装置２が表示装置３の機能を備えるように構成してもよい。同様に、情報処理装置２及び分析装置は、同一装置として構成されてもよい。例えば、情報処理装置２が、分析装置の機能を備えるように構成してもよい。また、情報処理装置２と表示装置３及び分析装置は、同一の装置として構成されてもよい。
【００３７】
以下、診療情報処理システム１を構成する情報処理装置２及び表示装置３について詳細に説明する。
【００３８】
（情報処理装置２）
情報処理装置２は、診療実績データに基づく各種データ等を記憶し、記憶された各種データに基づいて所定の疾患を患った各患者における治療内容の切換えパターンを抽出する。そして、情報処理装置２は、抽出された切換えパターン毎に注目度を算出し、算出された注目度とともに切換えパターンを表示装置３に出力する。そのために、情報処理装置２は、記憶部２１、情報処理部２２、第１通信部２３を備える。
【００３９】
なお、本実施形態では、情報処理装置２として、コンピュータ、サーバ等を想定するが、本発明はこれに限定されるものではない。情報処理装置２は、本発明が適用可能であればよく、例えば、多機能携帯電話（所謂「スマートフォン」）、携帯電話（所謂「フィーチャーフォン」）や携帯情報端末（Personal Digital Assistant, PDA）、タブレット端末、タブレットＰＣ（Personal Computer）、ノートＰＣ等でもよい。
【００４０】
（記憶部２１）
記憶部２１は、例えば、ＲＯＭ（Read Only Memory）、ＲＡＭ（Random Access Memory）等の半導体メモリ装置、又は、ハードディスク、光ディスク等を備える。情報処理部２２での処理に用いられるプログラム、データ、パラメータ等を記憶する。なお、プログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２１にインストールされてもよい。また、記憶部２１は、データとして、後述する患者疾患リスト２１１、患者医療行為履歴２１２及び疾患別医療行為リスト２１３等を記憶する。
【００４１】
また、記憶部２１は、情報処理部２２によって生成された各種データ（後述する治療内容リスト２１４、切換えパターンリスト２１５、治療継続期間リスト２１６、切換え頻度リスト２１７、患者別切換え頻度リスト２１８及び注目度リスト２１９等）を記憶する。なお、記憶部２１は、所定の処理に係る一時的なデータを一時的に記憶してもよい。
【００４２】
なお、情報処理装置２とは異なる一又は複数の記憶装置が、記憶部２１に記憶された各種データを記憶してもよい。この場合、診療情報処理システム１を構成する情報処理装置２及び表示装置３は、各種データを記憶装置と送受信する。
【００４３】
以下、図３（ａ）〜（ｃ）を参照して、患者疾患リスト２１１、患者医療行為履歴２１２及び疾患別医療行為リスト２１３について説明する。なお、患者疾患リスト２１１、患者医療行為履歴２１２及び疾患別医療行為リスト２１３は、病院で記憶された診療実績データから予め生成されたデータである。診療実績データは、例えば、直近の所定期間（例えば、１年間）において一又は複数の病院に入院した患者に係る診療実績データである。以降、患者疾患リスト２１１、患者医療行為履歴２１２及び疾患別医療行為リスト２１３を、診療実績データと称する場合がある。
【００４４】
（患者疾患リスト２１１）
図３（ａ）に示されるとおり、患者疾患リスト２１１には、複数の患者のそれぞれについて、各患者の患者ＩＤと、各患者の疾患情報とが、互いに関連付けて記憶されている。なお、患者ＩＤは、各患者を互いに識別するための識別情報等である。
【００４５】
（患者医療行為履歴２１２）
図３（ｂ）に示されるとおり、患者医療行為履歴２１２には、複数の患者のそれぞれについて、各患者の患者ＩＤと、各患者に対して実施された医療行為の実施日と、当該実施日に実施された一又は複数の医療行為とが、互いに関連付けて記憶される。なお、各医療行為は、例えば、医療行為名等であるが、他の医療行為と識別可能であれば、どのような情報でもよい。また、医療行為は、具体的な薬名や検査名等に限るものではなく、治療の効果や治療目的等が共通するもの同士をグループ化したものでもよい。この場合、医療行為名として、グループ名（例えば、「抗がん剤」又は「高血圧治療薬」等）を記憶すればよい。
【００４６】
（疾患別医療行為リスト２１３）
図３（ｃ）に示されるとおり、疾患別医療行為リスト２１３には、各疾患情報に関連付けて、各疾患情報によって示される医療行為が記憶されている。
【００４７】
以下、疾患別医療行為リスト２１３の生成方法の一例について説明する。まず、患者疾患リスト２１１の中から、各疾患情報に関連付けられた全ての患者ＩＤが抽出される。次に、患者医療行為履歴２１２の中から、各疾患情報について抽出された全ての患者ＩＤのそれぞれに関連付けられた全ての医療行為が抽出される。そして、各疾患情報と各疾患情報について抽出された医療行為とが、互いに関連付けて疾患別医療行為リスト２１３に記憶される。なお、抽出された全ての医療行為の中に、同一の医療行為が複数存在する場合は、当該複数の医療行為のうちの一つが抽出され、同一の医療行為が重複して抽出されない。このように、疾患別医療行為リスト２１３は、各疾患について特有な医療行為の種類を示すデータである。
【００４８】
なお、疾患別医療行為リスト２１３の生成方法は、上述の方法に限らない。例えば、疾患別医療行為リスト２１３は、ガイドラインや医師等の知見に基づいて生成されてもよい。また、患者疾患リスト２１１及び患者医療行為履歴２１２に基づいて生成された疾患別医療行為リスト２１３の中から、ガイドラインや医師等の知見に基づいて、分析や評価において不要な医療行為が削除されてもよい。
【００４９】
図２に戻り、情報処理装置２の情報処理部２２について説明する。
【００５０】
（情報処理部２２）
情報処理部２２は、一又は複数個のプロセッサ及びその周辺回路を備える。情報処理部２２は、情報処理装置２の全体的な動作を統括的に制御するものであり、例えば、ＣＰＵ（Central Processing Unit）である。情報処理部２２は、記憶部２１に記憶されているプログラムに基づいて処理を実行する。
【００５１】
情報処理部２２は、少なくとも分析対象抽出部２２１、切換えパターン抽出部２２２、治療継続期間算出部２２３、切換え頻度算出部２２４、注目度算出部２２５及びデータ出力処理部２２６を備える。これらの各部は、情報処理部２２が備えるプロセッサで実行されるプログラムにより実現される機能モジュールである。あるいは、これらの各部は、ファームウェアとして情報処理装置２に実装されてもよい。以下、図２〜７を参照して、情報処理部２２が備える各部について説明する。
【００５２】
（分析対象抽出部２２１）
分析対象抽出部２２１は、記憶部２１に記憶された診療実績データ（患者疾患リスト２１１、患者医療行為履歴２１２及び疾患別医療行為リスト２１３）を参照し、情報処理部２２において実行される各処理の対象となる分析対象の抽出処理を実行する。
【００５３】
まず、分析対象抽出部２２１は、疾患別医療行為リスト２１３を参照して、疾患別医療行為リスト２１３に含まれる疾患情報から、所定の疾患に係る疾患情報を分析対象疾患として選択する。次に、分析対象抽出部２２１は、患者疾患リスト２１１を参照して、分析対象疾患に関連付けられた全ての患者の患者ＩＤを、分析対象患者群として抽出する。なお、分析対象抽出部２２１は、分析対象疾患に関連付けられた全ての患者の患者ＩＤのうちの一部を、分析対象患者群として抽出してもよい。次に、分析対象抽出部２２１は、患者医療行為履歴２１２の中から、分析対象患者群として抽出された各患者ＩＤに対応付けられた実施日及び医療行為を抽出する。そして、分析対象抽出部２２１は、分析対象患者群として抽出された各患者ＩＤ、実施日及び医療行為を、分析対象医療行為履歴として特定する。このように、分析対象医療行為履歴は、患者医療行為履歴２１２と同様のリストであり、且つ、患者医療行為履歴２１２の中から、分析対象患者群に含まれない患者の情報が除外されたリストである。
【００５４】
なお、分析対象抽出部２２１は、分析対象医療行為履歴の中から、疾患別医療行為リスト２１３に含まれる分析対象疾患に関連付けられていない医療行為に関する項目を削除してもよい。
【００５５】
分析対象抽出部２２１は、上述した分析対象の抽出処理を、疾患別医療行為リスト２１３に記載された全ての疾患情報について繰り返して実行する。なお、分析対象抽出部２２１は、評価者等が情報処理装置２の操作部（図示せず）を操作することによって任意に入力された所定の疾患に係る疾患情報に対してのみ、上述した分析対象の抽出処理を実行してもよい。
【００５６】
（切換えパターン抽出部２２２）
切換えパターン抽出部２２２は、記憶部２１に記憶された診療実績データを参照し、治療内容の切換えの際の切換え前の治療内容と切換え後の治療内容との組み合わせを、切換えパターンとして抽出する。なお、切換えパターンの抽出処理は、分析対象疾患毎に実行される。以下、切換えパターンの抽出処理について説明する。
【００５７】
まず、切換えパターン抽出部２２２は、分析対象医療行為履歴の中から、各患者ＩＤについて、実施日毎に実施された医療行為を特定する。次に、切換えパターン抽出部２２２は、特定された各実施日に実施された医療行為に対して治療内容名を付与するとともにその実施日を、分析対象医療行為履歴の時系列に従って順次特定する。そして、切換えパターン抽出部２２２は、特定した治療内容名とその医療行為について、治療内容リスト２１４を生成し、記憶部２１に記憶する。
【００５８】
例えば、図３（ｂ）に示されるとおり、分析対象疾患が「疾患あ」である場合、患者ＩＤ「００００１」に対して、医療行為「投薬ア」及び「投薬イ」と、その実施日「２０１６年４月５日」とが関連付けられている。切換えパターン抽出部２２２は、同日中に実施された医療行為「投薬ア」及び「投薬イ」に治療内容「治療Ａ」を関連付ける。すなわち、患者ＩＤ「００００１」に対して２０１６年４月５日に実施された医療行為が、治療内容「治療Ａ」として特定され、治療内容リスト２１４に記憶される。同様に、患者ＩＤ「００００１」の患者に対して２０１６年８月３日に実施された治療内容「治療Ｂ」、当該患者に対して２０１６年８月１８日に実施された治療内容「治療Ａ」、当該患者に対して２０１６年９月１７日に実施された治療内容「治療Ｃ」、及び、当該患者に対して２０１６年１２月１６日に実施された治療内容「治療Ｃ」が特定され、治療内容リスト２１４に記憶される。このように、同日中に行われた医療行為が同一種類である場合は、患者ＩＤが異なっていても同一の治療内容名が特定され、同日中に行われた医療行為が異なる場合は、異なる治療内容名が特定される。
【００５９】
（治療内容リスト２１４）
図４（ａ）は、治療内容リスト２１４のデータ構造の一例を示す図である。図４（ａ）に示すように、複数の治療内容のそれぞれに関連付けて、医療行為が記憶されている。
【００６０】
なお、切換えパターン抽出部２２２は、医療行為に対応する治療内容の特定を、疾患別医療行為リスト２１３を参照して実行してもよい。例えば、切換えパターン抽出部２２２は、疾患別医療行為リスト２１３を参照して、分析対象疾患に対応付けられた全ての医療行為を特定する。次に、切換えパターン抽出部２２２は、特定した全ての医療行為の全ての組み合わせを抽出して、全ての組み合わせと、治療内容（例えば、互いに識別可能な治療内容名等）とを対応付けたリストを作成する。そして、切換えパターン抽出部２２２は、作成したリストを用いて、医療行為に対応する治療内容の特定を実行する。
【００６１】
次に、切換えパターン抽出部２２２は、各患者ＩＤについて、特定した治療内容及びその実施日に基づいて、切換えパターンを抽出する。まず、切換えパターン抽出部２２２は、特定した治療内容毎に、特定した治療内容を切換え後の治療内容として設定し、特定した治療内容の直前の当該特定した治療内容と異なる治療内容を切換え前の治療内容として設定し、特定した治療内容の実施日を切換え日として設定する。なお、特定した治療内容が最初の治療内容である場合、特定した治療内容の前に治療内容が実施されていないため、切換え前の治療内容が実施されていないことを示す未実施記号等（例えば「−」等）を切換え前の治療内容として設定する。また、一人の患者について、切換え前の治療内容が同一の切換えパターンが連続した場合、当該連続した切換えパターンは、切換え後の治療内容の実施日が遅いものに統合される。例えば、切換えパターンが「治療Ａ→治療Ｃ」、「治療Ｃ→治療Ｃ」、「治療Ｃ→治療Ｃ」の順番に特定された場合（すなわち、治療内容が「治療Ａ」、「治療Ｃ」、「治療Ｃ」、「治療Ｃ」の順番で実施された場合）、切換えパターン抽出部２２２は、最初に実施された治療内容「治療Ａ」と、最後の治療内容「治療Ｃ」とを用いた切換えパターン「治療Ａ→治療Ｃ」を抽出する。次に、切換えパターン抽出部２２２は、切換え前の治療内容と切換え後の治療内容との組み合わせを、切換えパターンとして抽出する。なお、本実施の形態では、後述の治療継続期間の算出方法の便宜上、切換えパターン抽出部２２２は、特定した治療内容が患者のデータに含まれる最後（直近）の治療内容である場合に、切換え前の治療内容（直前の治療内容）と切換え後の治療内容とが同一である場合も、この切換え前の治療内容と切換え後の治療内容との組み合わせを、切換えパターン（例えば、「治療Ｃ→治療Ｃ」）として抽出する。そして、切換えパターン抽出部２２２は、抽出した切換えパターンについて、切換えパターンリスト２１５を生成し、記憶部２１に記憶する。なお、切換えパターンの抽出方法は、これに限らない。例えば、特定した治療内容を切換え前の治療内容とし且つ直後の異なる治療内容を切換え後の治療内容とする切換えパターンが抽出されてもよい。この場合、最初の治療内容については「−」を切換え前の治療内容として、特定した治療内容を切換え後の治療内容とする切換えパターンを抽出してから、前述の抽出を行えばよい。
【００６２】
（切換えパターンリスト２１５）
図４（ｂ）は、切換えパターンリスト２１５のデータ構造の一例を示す図である。図４（ｂ）に示すように、切換えパターンリスト２１５には、患者ＩＤ毎に、各患者ＩＤにおける切換え前の治療内容、切換え後の治療内容、切換えパターン及び切換え日が時系列に従って配列される。
【００６３】
図４（ｂ）に示される例では、患者ＩＤ「００００１」における、最初の切換え前の治療内容、切換え後の治療内容、切換えパターン及び切換え日として、それぞれ、「未実施記号」、「治療Ａ」、「→治療Ａ」及び「２０１６年４月５日」が設定されている。なお、切換えパターン「→治療Ａ」は、切換え前の治療内容が特定されないことを示す切換えパターンである。また、患者ＩＤ「００００１」における、２番目の切換え前の治療内容、切換え後の治療内容、切換えパターン及び切換え日として、それぞれ、「治療Ａ」、「治療Ｂ」、「治療Ａ→治療Ｂ」及び「２０１６年８月３日」が設定されている。以降、分析対象医療行為履歴の時系列に従って、各患者ＩＤにおける、切換え前の治療内容、切換え後の治療内容、切換えパターン及び切換え日が順次設定されている。
【００６４】
（治療継続期間算出部２２３）
治療継続期間算出部２２３は、記憶部２１に記憶された診療実績データに基づいて、切換えパターン毎に、切換え後の治療内容の継続期間を治療継続期間として算出する。なお、治療継続期間の算出処理は、分析対象疾患毎に実行される。以下、治療継続期間の算出処理について説明する。
【００６５】
まず、治療継続期間算出部２２３は、記憶部２１に記憶された切換えパターンリスト２１５を参照し、各患者ＩＤにおける切換えパターン及び切換え日を、時系列に従って順次特定する。次に、治療継続期間算出部２２３は、特定した切換えパターン毎に、特定した切換えパターンの切換え日を、特定した切換えパターンにおける切換え後の治療内容の治療開始日として設定する。次に、治療継続期間算出部２２３は、特定した切換えパターン毎に、特定した切換えパターンの次の切換えパターンの切換え日を、特定した切換えパターンにおける切換え後の治療内容の治療終了日として設定する。なお、治療継続期間算出部２２３は、特定した切換えパターンの次の切換えパターンが、切換えパターンリスト２１５に含まれていない場合、治療が終了していないことを示す継続記号等（例えば「ＮＡ」等）を、終了治療日として設定する。
【００６６】
次に、治療継続期間算出部２２３は、特定した切換えパターン毎に、特定した切換えパターンの治療開始日から特定した切換えパターンの治療終了日までの期間を算出し、算出した期間を、特定した切換えパターンの治療継続期間として設定する。なお、治療終了日が「ＮＡ」等の継続記号である場合は、治療継続期間も「ＮＡ」等の継続記号が設定される。また、治療継続期間の算出方法は、上述した方法に限らず、切換えパターンにおける切換え後の治療内容が継続した期間を算出できる方法であればどのようなものでもよい（例えば、「治療Ｃ→治療Ｃ」という切換えパターンを抽出せずに、治療内容の実施日等を参照して継続期間を算出する方法等。）。また、本実施の形態では、各切換えパターンについて、切換え後の治療内容の継続期間を算出し、その期間を直後の切換えパターンにおける切換え前の治療内容の継続期間としているが、継続期間の算出方法は、この方法に限らない。例えば、切換え前の治療内容の継続期間と切換え後の治療内容の継続期間とを、治療内容の実施日等を参照して、それぞれ個別に算出してもよい。
【００６７】
次に、治療継続期間算出部２２３は、切換えパターンリスト２１５に含まれる全ての切換えパターンの治療継続期間の算出処理が終了した場合、治療継続期間の正規化処理を実行する。
【００６８】
治療継続期間の正規化処理では、まず、治療継続期間算出部２２３は、切換えパターンリスト２１５に含まれる全ての切換えパターンの治療継続期間のうち、最も長い治療継続期間を特定する。次に、治療継続期間算出部２２３は、切換えパターンリスト２１５に含まれる各切換えパターンの治療継続期間を、特定した最も長い治療継続期間で除算した値を算出し、算出された値を各切換えパターンの継続期間指数として設定する。
【００６９】
この治療継続期間の正規化処理によって、治療継続期間は、「０」以上「１」以下の数値である継続期間指数に変換される。なお、治療継続期間の正規化処理では、治療継続期間の増加に応じて所定の数値範囲（例えば、「０」以上「１」以下の数値）内で単調増加する指数に変換できる変換式であれば、どのような変換式が用いられてもよい。
【００７０】
そして、治療継続期間算出部２２３は、特定した切換えパターンについて、治療継続期間リスト２１６を生成し、記憶部２１に記憶する。
【００７１】
（治療継続期間リスト２１６）
図５は、治療継続期間リスト２１６のデータ構造の一例を示す図である。図５に示すように、治療継続期間リスト２１６には、切換えパターンリスト２１５に含まれる各患者ＩＤについて、各患者ＩＤにおける各切換えパターン、並びに、各切換えパターンの治療開始日、治療終了日、治療継続期間及び継続期間指数が時系列に従って配列される。なお、切換えパターンリスト２１５の各患者ＩＤ及び各患者ＩＤにおける各切換えパターンの配列は、切換えパターンリスト２１５と同一である。
【００７２】
図５に示される例では、患者ＩＤ「００００１」における、最初の切換えパターン、治療開始日、治療終了日、治療継続期間及び継続期間指数として、それぞれ、「→治療Ａ」、「２０１６年４月５日」、「２０１６年８月３日」、「１２０日」及び「０．６」が設定されている。なお、図５に示される治療継続期間リスト２１６に含まれる治療継続期間のうち、最も長い治療継続期間は「２００日」（図示せず）であるため、切換えパターン「→治療Ａ」の継続期間指数として、「１２０日」を「２００日」で除算した指数「０．６」が設定される。
【００７３】
また、患者ＩＤ「００００１」における、２番目の切換えパターン、治療開始日、治療終了日、治療継続期間及び継続期間指数として、それぞれ、「治療Ａ→治療Ｂ」、「２０１６年８月３日」、「２０１６年８月１８日」、「１５日」及び「０．０７５」が設定されている。以降、切換えパターンリスト２１５の時系列に従って、各患者ＩＤにおける、切換えパターン、治療開始日、治療終了日、治療継続期間及び継続期間指数が順次設定されている。なお、患者ＩＤ「００００１」によって識別される患者及び患者ＩＤ「００００２」によって識別される患者は、ともに治療が継続しているため、両者の最後の切換えパターンの治療終了日には、継続記号が設定されている。
【００７４】
なお、治療継続期間算出部２２３は、切換えパターンリスト２１５に含まれる、各切換えパターンと同一種類の全ての切換えパターンの治療継続期間の平均値を算出し、算出した平均値を、各切換えパターンの治療継続期間として再設定してもよい。例えば、図５に示される治療継続期間リスト２１６において、患者ＩＤ「００００１」及び患者ＩＤ「００００２」には、同一の切換えパターン「→治療Ａ」が関連付けられている。このとき、分析対象疾患「疾患あ」を患った患者が患者ＩＤ「００００１」及び患者ＩＤ「００００２」だけであれば、治療継続期間算出部２２３は、患者ＩＤ「００００１」の切換えパターン「→治療Ａ」の治療継続期間「１２０日」と患者ＩＤ「００００２」の切換えパターン「→治療Ａ」の治療継続期間「１４０日」との平均値「１３０日」を、患者ＩＤ「００００１」及び患者ＩＤ「００００２」のそれぞれの切換えパターン「→治療Ａ」の治療継続期間として再設定する。
【００７５】
（切換え頻度算出部２２４）
切換え頻度算出部２２４は、記憶部２１に記憶された診療実績データに基づいて、切換えパターン毎の出現回数を切換え頻度として算出する。なお、切換え頻度の算出処理は、分析対象疾患毎に実行される。以下、切換え頻度の算出処理について説明する。
【００７６】
まず、切換え頻度算出部２２４は、記憶部２１に記憶された切換えパターンリスト２１５を参照し、各切換えパターン毎に、同一種類の切換えパターンの出現回数を計数し、計数した出現回数を切換え頻度として特定する。
【００７７】
次に、切換え頻度算出部２２４は、算出対象に含まれる全ての切換えパターンの切換え頻度の算出処理が終了した場合、切換え頻度の正規化処理を実行する。切換え頻度の正規化処理では、まず、切換え頻度算出部２２４は、特定した全ての切換え頻度のうち、最も数の多い切換え頻度を特定する。次に、切換え頻度算出部２２４は、特定した各切換えパターンの切換え頻度を、特定された最も数の多い切換え頻度で除算した値を算出し、算出された値を、各切換えパターンの切換え頻度指数として設定する。
【００７８】
この切換え頻度の正規化処理によって、切換え頻度は、「０」以上「１」以下の数値である切換え頻度指数に変換される。なお、切換え頻度の正規化処理では、切換え頻度の増加に応じて所定の数値範囲（例えば、「０」以上「１」以下の数値）内で単調増加する指数に変換できる変換式であれば、どのような変換式が用いられてもよい。
【００７９】
そして、切換え頻度算出部２２４は、各種類の切換えパターンについて、切換え頻度リスト２１７を生成し、記憶部２１に記憶する。
【００８０】
次に、切換え頻度算出部２２４は、記憶部２１に記憶された切換えパターンリスト２１５から、各患者ＩＤ及び各患者ＩＤにおける各切換えパターンを配列順に抽出する。次に、切換え頻度算出部２２４は、記憶部２１に記憶された切換え頻度リスト２１７を参照して、抽出された各切換えパターンに対応する切換え頻度及び切換え頻度指数を特定する。そして、切換え頻度算出部２２４は、抽出された各患者ＩＤ、各患者ＩＤにおける各切換えパターン、各切換えパターンに対応する切換え頻度及び切換え頻度指数を配列した患者別切換え頻度リスト２１８を生成し、記憶部２１に記憶する。
【００８１】
（切換え頻度リスト２１７）
図６（ａ）は、切換え頻度リスト２１７のデータ構造の一例を示す図である。図６（ａ）に示すように、切換え頻度リスト２１７には、切換えパターンの種類毎に、当該切換えパターンの切換え頻度及び切換え頻度指数が対応付けられる。
【００８２】
図６（ａ）に示される例では、切換えパターン「→治療Ａ」における、切換え頻度及び切換え頻度指数として、それぞれ、「７回」及び「１」が設定されている。なお、図６（ａ）に示される切換え頻度リスト２１７に含まれる切換え頻度のうち、最も数の多い切換え頻度は「７回」であるため、切換えパターン「→治療Ａ」の切換え頻度指数として、「７回」を「７回」で除算した指数「１」が設定される。
【００８３】
また、切換えパターン「治療Ａ→治療Ｂ」における、切換え頻度及び切換え頻度指数として、それぞれ、「２回」及び「０．２８」（「２回」を「７回」で除算した指数）が設定されている。以降、特定された切換えパターンごとに、当該切換えパターンの切換え頻度及び切換え頻度指数が設定されている。なお、切換え前の治療内容と切換え後の治療内容とが同一である切換えパターン（図６（ａ）に示される切換え頻度リスト２１７の例では、切換えパターン「治療Ｃ→治療Ｃ」）の切換え頻度の算出処理は、実行されなくてもよい。
【００８４】
（患者別切換え頻度リスト２１８）
図６（ｂ）は、患者別切換え頻度リスト２１８のデータ構造の一例を示す図である。図６（ｂ）に示すように、患者別切換え頻度リスト２１８には、切換えパターンリスト２１５に含まれる各患者ＩＤについて、各患者ＩＤにおける各切換えパターン、並びに、各切換えパターンの切換え頻度及び切換え頻度指数が時系列に従って配列される。なお、患者別切換え頻度リスト２１８の各患者ＩＤ及び各患者ＩＤにおける各切換えパターンの配列は、切換えパターンリスト２１５と同一である。
【００８５】
（注目度算出部２２５）
注目度算出部２２５は、治療継続期間リスト２１６及び患者別切換え頻度リスト２１８に基づいて、切換えパターン毎の注目度を算出する。なお、注目度の算出処理は、分析対象疾患毎に実行される。以下、注目度の算出処理について説明する。
【００８６】
まず、注目度算出部２２５は、記憶部２１に記憶された切換えパターンリスト２１５から、各患者ＩＤ及び各患者ＩＤにおける各切換えパターンを配列順に抽出する。次に、注目度算出部２２５は、治療継続期間リスト２１６を参照して、抽出された各患者ＩＤにおける各切換えパターンに対応する治療継続期間及び継続期間指数を特定する。次に、注目度算出部２２５は、患者別切換え頻度リスト２１８を参照し、抽出された各患者ＩＤにおける各切換えパターンに対応する切換え頻度及び切換え頻度指数を特定する。次に、注目度算出部２２５は、抽出された各患者ＩＤにおける各切換えパターンに対応する継続期間指数と切換え頻度指数との平均値を算出し、算出された平均値を、抽出された各患者ＩＤにおける各切換えパターンの注目度として設定する。そして、注目度算出部２２５は、抽出された各患者ＩＤにおける各切換えパターンについて、注目度リスト２１９を生成し、記憶部２１に記憶する。
【００８７】
なお、注目度算出部２２５は、抽出された各患者ＩＤにおける各切換えパターンについて、切換え頻度指数に基づいて第１の注目度を算出し、又は、継続期間指数に基づいて第２の注目度を算出してもよい。この場合、注目度算出部２２５は、切換え頻度指数を第１の注目度としてもよく、継続期間指数を第２の注目度としてもよい。また、算出した第１及び第２の注目度の平均値を、各切換えパターンの注目度として設定してもよい。
【００８８】
（注目度リスト２１９）
図７は、注目度リスト２１９のデータ構造の一例を示す図である。図７に示すように、注目度リスト２１９には、抽出された各患者ＩＤ、各患者ＩＤにおける各切換えパターン、各切換えパターンに対応する治療継続期間、継続期間指数、切換え頻度、切換え頻度指数及び注目度が配列される。なお、注目度リスト２１９の各患者ＩＤ及び各患者ＩＤにおける各切換えパターンの配列は、切換えパターンリスト２１５と同一である。なお、注目度リスト２１９に、当該注目度リスト２１９の全ての患者ＩＤを分析対象患者群として抽出するために用いられた分析対象疾患が関連付けて記憶されてもよい。
【００８９】
図７に示される例では、患者ＩＤ「００００１」における、最初の切換えパターン、治療継続期間、継続期間指数、切換え頻度及び切換え頻度指数及び注目度として、それぞれ、「→治療Ａ」、「１２０日」、「０．６」、「７回」、「１」及び「０．８」が設定されている。なお、注目度「０．８」は、継続期間指数「０．６」と切換え頻度指数「１」との平均値である。
【００９０】
また、患者ＩＤ「００００１」における、２番目の切換えパターン、治療継続期間、継続期間指数、切換え頻度及び切換え頻度指数及び注目度として、それぞれ、「治療Ａ→治療Ｂ」、「１５日」、「０．０７５」、「２回」、「０．２８」及び「０．１７」が設定されている。なお、注目度「０．１７」は、継続期間指数「０．０７５」と切換え頻度指数「０．２８」との平均値である。以降、切換えパターンリスト２１５の時系列に従って、各患者ＩＤにおける、切換えパターン、治療継続期間、継続期間指数、切換え頻度及び切換え頻度指数及び注目度が順次設定されている。
【００９１】
図７の注目度リスト２１９に示されるように、注目度は、継続期間指数及び切換え頻度指数に応じた値である。注目度として、治療継続期間が長いほど、高い値であり、且つ、切換え頻度が多いほど、高い値が算出される。
【００９２】
切換え頻度が高い切換えパターンは、その分析対象疾患の分析対象患者群に共通した切換えパターンであり、当該分析対象疾患特有の病態の変化を反映している蓋然性が高い。一方、切換え頻度の低い切換えパターンは、その分析対象疾患において稀な症例で出現する蓋然性が高い。ここで、切換え頻度の低い切換えパターンには、２種類のタイプが混在している。一方は、手術前の休薬や飲み忘れ等による短期的な治療のタイプであり、他方は、難治症例等の稀な症例における病態に応じた長期的な治療のタイプである。情報処理装置２は、切換え頻度とともに治療継続期間を組み合わせた注目度を用いることにより、稀な症例における病態（切換え頻度が低いものの治療継続期間が長い傾向がある病態）と、手術前の休薬や飲み忘れ等による短期的な治療とを適切に区別することができる。したがって、情報処理装置２は、患者の病態の変化を要因とする治療内容の切換えパターンと患者の病態以外の要因による治療内容の切換えパターンとを適切に区別することができる。
【００９３】
なお、注目度リスト２１９には、少なくとも患者ＩＤ、切換えパターン及び注目度が記憶されればよく、治療継続時間、継続時間指数、切換え頻度又は切換え頻度指数は記憶されなくてもよい。また、注目度リスト２１９に、切換え前の治療内容の継続期間を記憶するようにしてもよい。
【００９４】
また、注目度算出部２２５は、注目度リスト２１９に含まれる、各切換えパターンと同一種類の全ての切換えパターンの注目度の平均値を算出し、算出した平均値を各切換えパターンの注目度として再設定してもよい。例えば、図７に示される注目度リスト２１９において、患者ＩＤ「００００１」及び患者ＩＤ「００００２」には、同一の切換えパターン「治療Ａ→治療Ｃ」が関連付けられている。このとき、分析対象疾患「疾患あ」を患った患者が患者ＩＤ「００００１」及び患者ＩＤ「００００２」だけであれば、注目度算出部２２５は、患者ＩＤ「００００１」の切換えパターン「治療Ａ→治療Ｃ」の注目度「０．６６」と患者ＩＤ「００００２」の切換えパターン「治療Ａ→治療Ｃ」の注目度「０．６３」との平均値「０．６５」を、患者ＩＤ「００００１」及び患者ＩＤ「００００２」のそれぞれの切換えパターン「治療Ａ→治療Ｃ」の注目度として再設定する。
【００９５】
図２に戻り、情報処理部２２のデータ出力処理部２２６について説明する。
【００９６】
（データ出力処理部２２６）
情報処理部２２のデータ出力処理部２２６は、注目度算出部２２５によって生成された注目度リスト２１９に含まれる切換えパターンのうち、各患者ＩＤについて、注目度が算出された切換えパターン、治療継続期間、切換え頻度及びその注目度を、算出結果として記憶部２１に記憶する。そして、データ出力処理部２２６は、記憶部２１に記憶された算出結果を表示装置３に出力し、算出結果を取得した表示装置３は、算出結果に基づく表示処理を実行する。なお、算出結果には、当該算出結果を生成するために用いられた分析対象疾患を関連付けて出力してもよい。また、データ出力処理部２２６は、算出結果に、注目度リスト２１９に含まれる継続期間指数及び切換え頻度指数を含めてもよい。また、データ出力処理部２２６は、算出結果に、切換え前の治療内容の継続期間を含めてもよい。
【００９７】
なお、データ出力処理部２２６は、算出結果を、切換えパターンを分析するための分析装置に出力してもよい。算出結果を取得した分析装置は、当該算出結果に基づいて、注目度に応じた分析を実行し、その分析結果を表示装置３に出力する。そして、分析結果を取得した表示装置３は、当該分析結果に基づく表示処理を実行する。
【００９８】
また、データ出力処理部２２６は、注目度算出部２２５によって生成された注目度リスト２１９に含まれる各種データを、注目度に応じて区別してから、算出結果として出力してもよい。例えば、データ出力処理部２２６は、注目度が所定値（例えば、「０．３」）以上である切換えパターンと、注目度が所定値未満である切換えパターンとを区別して出力してもよい。この場合、例えば、データ出力処理部２２６は、注目度が所定値以上となった切換えパターン及びその注目度のみを、算出結果として表示装置３又は分析装置に出力する。
【００９９】
なお、注目度リスト２１９に含まれる各種データを区別するための所定値は、評価者等が情報処理装置２の操作部（図示せず）を操作することによって任意に入力された値（経験値等）でもよい。もしくは、データ出力処理部２２６は、注目度リスト２１９に含まれる全ての注目度の平均値及び標準偏差を算出し、算出した平均値から標準偏差を減算した値を所定値として設定してもよい。これにより、評価者は、切換えパターンの注目度の分布に基づいて、分析対象疾患特有の切換えパターンと短期的且つ稀な切換えパターンとを区別できる所定値を設定することが可能になる。
【０１００】
（第１通信部２３）
情報処理装置２の第１通信部２３は、有線又は無線のＬＡＮ（Local Area Network）の通信インターフェース、ＵＳＢ（Universal Serial Bus）等と接続するためのインターフェース、所定の周波数帯を感受帯域とするアンテナを含む、通信インターフェース等である。情報処理装置２は、第１通信部２３を介して表示装置３又は分析装置等と接続され、第１通信部２３は、情報処理部２２から供給されたデータを、表示装置３又は分析装置等に送信する。
【０１０１】
（表示装置３）
表示装置３は、第２通信部３１、表示出力処理部３２及びモニタ部３３等を備える。表示装置３は、病院内外の医療管理者や事務管理者等の評価者が所在する部屋に設置され、評価者は、表示装置３に表示された各種データを参照して、患者に対して行われた「治療内容の切換え」の妥当性を評価する。
【０１０２】
第２通信部３１は、有線又は無線のＬＡＮの通信インターフェース、ＵＳＢ等と接続するためのインターフェース、所定の周波数帯を感受帯域とするアンテナを含む、通信インターフェース等である。第２通信部３１は、情報処理装置２又は分析装置等から受信したデータを表示出力処理部３２に供給する。
【０１０３】
表示出力処理部３２は、第２通信部３１を介して情報処理装置２又は分析装置等から受信したデータを取得し、取得したデータに基づいて描画データを作成する。そして、表示出力処理部３２は、作成した描画データをモニタ部３３に出力する。
【０１０４】
モニタ部３３は、動画像、静止画像等の表示が可能であればどのようなデバイスでもよく、例えば、有機ＥＬ（Electro−Luminescence）ディスプレイ、液晶ディスプレイ、又は、タッチパネル式の表示デバイス等である。モニタ部３３は、表示出力処理部３２から供給された描画データに応じた動画像又は静止画像等を表示する。
【０１０５】
以下、図８及び図９を参照し、表示装置３によって表示される画面の例について説明する。
【０１０６】
表示装置３の表示出力処理部３２は、情報処理装置２から出力された算出結果を、第２通信部３１を介して受信し、受信した算出結果に基づいて、注目度に応じた切換えパターンをモニタ部３３に表示する。表示出力処理部３２は、患者毎の治療内容の推移を表示するために、患者毎の切換えパターンを注目度に応じた表示態様でモニタ部３３に表示する。例えば、表示出力処理部３２は、注目度が所定値以上である切換えパターンと所定値未満である切換えパターンとを区別してモニタ部３３に表示する。
【０１０７】
図８（ａ）〜（ｃ）は、情報処理装置２から出力された算出結果に基づいて表示装置３のモニタ部３３に表示される切換えパターンの表示例である。なお、図８（ａ）〜（ｃ）よって示される各画面例では、７人分の患者の治療内容の推移が表示されている。
【０１０８】
表示出力処理部３２は、算出結果の全ての切換えパターンに含まれる治療内容の種類毎に対応する領域枠を表示する。図８（ａ）〜（ｃ）によって示される各画面例では、治療内容「治療Ａ」に対応する領域枠８０１、治療内容「治療Ｂ」に対応する領域枠８０２、治療内容「治療Ｃ」に対応する領域枠８０３、治療内容「治療Ｄ」に対応する領域枠８０４が表示される。
【０１０９】
表示出力処理部３２は、各患者ＩＤについて、算出結果に含まれる全ての切換えパターンのそれぞれの切換え前の治療内容及び切換え後の治療内容を時系列順（配列順）に特定する。次に、表示出力処理部３２は、抽出された各治療内容を示す図形を、配列順に従って各治療内容に対応する領域枠内に順次表示する。そして、表示出力処理部３２は、各図形から、各図形に対応する治療内容の直後に実施された治療内容に対応する図形への有向線分を表示する。なお、有向線分の始点及び終点となる図形を、それぞれ第１の図形及び第２の図形と称する場合がある。なお、時系列に従って前後する２つの切換えパターンが連続する場合、先に実施された第１の切換えパターンの第２の図形に対応する治療内容と、次に実施された第２の切換えパターンの第１の図形に対応する治療内容とは、同一となる。この場合、第１の切換えパターンの第２の図形を、第２の切換えパターンの第１の図形として使用してもよい。
【０１１０】
表示出力処理部３２は、各治療内容を示す図形を、各治療内容を切換え後の治療内容とする切換えパターンの治療継続期間に応じた大きさで表示する。これにより、各図形によって、各図形に対応する治療内容の継続期間の長さを示すことが可能になる。なお、時系列順の最初の治療内容を示す図形より前への有向線分、及び、時系列順の最後の治療内容を示す図形からの有向線分は表示されない。また、同一治療内容が連続する場合、表示出力処理部３２は、連続する治療内容を一つの治療内容とし、当該連続する治療内容の治療継続期間を合算した期間を示す一つの図形を、連続する一つの治療内容を示す図形として表示する。
【０１１１】
図８（ａ）〜（ｃ）によって示される各画面例では、有向線分として矢印が表示され、各治療内容を示す図形として「○」印が表示されている。なお、有向線分は、矢印に限らず、線分、曲線、点線等で表示されてもよい。また、各治療内容を示す図形は、「○」印に限らず、どのような形状の図形でもよく、また、文字、数字、又はイメージ画像でもよい。
【０１１２】
以下、図８（ａ）によって示される各画面例について説明する。例えば、図７に示される注目度リスト２１９の例では、患者ＩＤ「００００１」に関連付けられた切換えパターンのうち算出対象として注目度とともに出力される切換えパターンは、「→治療Ａ」、「治療Ａ→治療Ｂ」、「治療Ｂ→治療Ａ」、「治療Ａ→治療Ｃ」である。
【０１１３】
図８（ａ）では、まず、切換えパターン「→治療Ａ」の切換え前の治療内容は実施されていないため、当該切換え前の治療内容に対応する図形は表示されない。次に、切換えパターン「→治療Ａ」の切換え後の治療内容「治療Ａ」に対応する図形８１１は、切換えパターン「→治療Ａ」の第２の図形として領域枠８０１内に表示される。
【０１１４】
次に、切換えパターン「→治療Ａ」の切換え後の治療内容「治療Ａ」は、次の切換えパターン「治療Ａ→治療Ｂ」の切換え前の治療内容「治療Ａ」と同一である。したがって、切換えパターン「→治療Ａ」の第２の図形である図形８１１は、切換えパターン「治療Ａ→治療Ｂ」の切換え前の治療内容「治療Ａ」の第１の図形として使用される。次に、切換えパターン「治療Ａ→治療Ｂ」の切換え後の治療内容「治療Ｂ」に対応する図形８１２は、領域枠８０２内に表示される。次に、切換えパターン「治療Ａ→治療Ｂ」の第１の図形である図形８１１から、切換えパターン「治療Ａ→治療Ｂ」の第２の図形である図形８１２への有向線分８２１が表示される。
【０１１５】
次に、切換えパターン「治療Ａ→治療Ｂ」の切換え後の治療内容「治療Ｂ」は、次の切換えパターン「治療Ｂ→治療Ａ」の切換え前の治療内容「治療Ｂ」と同一である。したがって、切換えパターン「治療Ａ→治療Ｂ」の第２の図形である図形８１２は、切換えパターン「治療Ｂ→治療Ａ」の切換え前の治療内容「治療Ｂ」の第１の図形として使用される。次に、切換えパターン「治療Ｂ→治療Ａ」の切換え後の治療内容「治療Ａ」に対応する図形８１３は、領域枠８０１内に表示される。次に、切換えパターン「治療Ｂ→治療Ａ」の第１の図形である図形８１２から、切換えパターン「治療Ｂ→治療Ａ」の第２の図形である図形８１３への有向線分８２２が表示される。
【０１１６】
次に、切換えパターン「治療Ｂ→治療Ａ」の切換え後の治療内容「治療Ａ」は、次の切換えパターン「治療Ａ→治療Ｃ」の切換え前の治療内容「治療Ａ」と同一である。したがって、切換えパターン「治療Ｂ→治療Ａ」の第２の図形である図形８１３は、切換えパターン「治療Ａ→治療Ｃ」の切換え前の治療内容「治療Ａ」の第１の図形として使用される。次に、切換えパターン「治療Ａ→治療Ｃ」の切換え後の治療内容「治療Ｃ」に対応する図形８１４は、領域枠８０３内に表示される。そして、切換えパターン「治療Ａ→治療Ｃ」の第１の図形である図形８１３から、切換えパターン「治療Ａ→治療Ｃ」の第２の図形である図形８１４への有向線分８２３が表示される。
【０１１７】
このように、一人の患者に係る切換えパターンが連続して表示されることで、評価者は、当該患者の治療内容の推移を容易に確認することができる。
【０１１８】
図８（ａ）に示される画面では、「○」印は、当該「○」印に対応する治療内容の治療継続期間が長い（継続期間指数が高い）ほど、大きくなるように表示される。また、有向線分は、当該有向線分に対応する切換えパターンの切換え頻度が多い（切換え頻度指数が高い）ほど、太くなるように表示される。なお、注目度が所定値未満である切換えパターンが、注目度が所定値以上である切換えパターンよりも強調して表示されるようにしてもよい。例えば、注目度が所定値以上である切換えパターンの「○」印又は有向線分の色を、注目度が所定値未満である切換えパターンの「○」印又は有向線分の色よりも、明るい色又は濃度の濃い色とすることで、注目度が所定値未満である切換えパターンが、注目度が所定値以上である切換えパターンよりも強調される。
【０１１９】
以下、図８（ｂ）によって示される各画面例について説明する。図８（ｂ）に示される画面では、注目度が所定値未満である切換えパターンが、目立たなくなるように表示される。すなわち、注目度が所定値以上である切換えパターンの有向線分は、線分及び又は濃い色で表示され、注目度が所定値未満である切換えパターンの有向線分は、点線及び／又は薄い色で表示される。なお、注目度が所定値未満である切換えパターンの有向線分は、他の表示態様によって表されてもよい。
【０１２０】
以下、図８（ｃ）によって示される各画面例について説明する。図８（ｃ）に示される画面例では、注目度が所定値未満である切換えパターンが、ノイズとして除外される。すなわち、注目度が所定値以上である切換えパターンの有向線分は、画面に表示され、注目度が所定値未満である切換えパターンの有向線分は、画面に表示されない。なお、注目度が所定値未満である切換えパターンの有向線分が複数連続する場合、最初に除外された有向線分に対応する切換えパターンの第１の図形から、最後に除外された有向線分に対応する切換えパターンの第２の図形への有向線分を表示する。この場合、除外された有向線分に挟まれた図形も表示されない。なお、最初に除外された有向線分に対応する切換えパターンの切換え前の治療内容と、最後に除外された有向線分に対応する切換えパターンの切換え後の治療内容とが同一である場合、前者の治療内容に対応する図形を、前者の治療内容の治療継続期間と後者の治療内容の治療継続期間とを合算した期間の長さに応じた大きさとする。
【０１２１】
図８（ｃ）に示される画面例では、患者ＩＤ「００００１」の切換えパターン「治療Ａ→治療Ｂ」及び「治療Ｂ→治療Ａ」に対応する有向線分が表示されず、その代わりに切換えパターンとしては抽出されていない「治療Ａ→治療Ａ」というパターンが表示されている。これによって、評価者は、患者の病態の変化を要因とする治療内容の切換えと患者の病態以外の要因による治療内容の切換えを除外して、治療内容の切換えの妥当性を適切に評価することが可能になる。
【０１２２】
なお、情報処理装置２から、注目度が所定値以上となった切換えパターン及びその注目度のみが、算出結果として出力された場合、上述した除外処理は実行されない。また、注目度が所定値以上である切換えパターンが除外され、注目度が所定値未満である切換えパターンが表示されてもよい。また、上述した様々な表示態様を組み合わせて、切換えパターンが表示されてもよい。
【０１２３】
次に、分析装置の分析結果が表示装置３に表示される場合における表示態様について説明する。
【０１２４】
表示装置３の表示出力処理部３２は、分析装置にて注目度に応じて分析された分析結果を取得して、当該分析結果を表示してもよい。図９（ａ）及び（ｂ）は、分析装置の分析結果に基づいた表示装置３の表示態様を説明するための模式図である。図９（ａ）及び（ｂ）は、分析装置が、切換えパターンの種類毎の件数を集計して、表示装置３が、その分析結果に基づいて切換えパターンの種類毎の件数を表示する例を示したものである。
【０１２５】
図９（ａ）及び（ｂ）では、切換えパターンの集計結果が有向グラフで示されている。すなわち、各「○」印の大きさが、各「○」印が配置された領域枠に対応する治療内容の実施数を示しており、２つの「○」印を接続する有向リンクの太さが、当該有向リンクに対応する種類の切換えパターンの件数を示している。例えば、注目度リスト２１９に含まれる切換えパターン「治療Ａ→治療Ｂ」の切換え頻度（出現回数）が、治療内容「治療Ａ」の領域枠内の「○」印から治療内容「治療Ｂ」の領域枠内の「○」印への有向リンクの太さに対応する。これにより、評価者は、分析対象疾患において、どの治療内容を実施した数が多かったのか、どの切換えパターンが多かったのかという情報を直感的に把握することが可能となる。
【０１２６】
図９（ａ）は、分析装置にて注目度に応じた分析を行わずに、有向グラフを生成したものであり、図９（ｂ）は、分析装置にて、注目度に応じた分析を行ってから、有向グラフとして生成したものである。すなわち、図９（ａ）で示される有向グラフは、注目度リスト２１９に含まれる全ての切換えパターンによって生成された有向グラフであり、図９（ｂ）で示される有向グラフは、分析装置が、注目度が所定値未満である切換えパターンを除いて生成された有向グラフである。
【０１２７】
図９（ａ）で表示されていた有向リンク９０１及び９０２は、図９（ｂ）では表示されなくなり、また、図９（ａ）で表示されていた「○」印９０３及び９０４の大きさは、図９（ｂ）では、「○」印９０３’及び９０４’のように、小さくなっている。このような表示態様で、有向グラフが表示されることにより、評価者は、注目度が所定値以上の切換えパターン、すなわち、患者の病態に応じて切換えられた治療内容に関する分析結果を直感的に把握することができる。なお、分析装置は、上述の分析以外の他の分析を実行してもよい。また、表示装置３は、上述の表示態様とは異なる他の表示態様で分析結果を表示してもよい。
【０１２８】
図１０は、注目度算出処理のフローチャートの一例を示す図である。
【０１２９】
まず、分析対象抽出部２２１は、記憶部２１に記憶された診療実績データ（患者疾患リスト２１１、患者医療行為履歴２１２及び疾患別医療行為リスト２１３）を参照し、情報処理部２２において実行される各処理の対象となる分析対象の抽出処理を実行する（ステップＳ１０１）。分析対象抽出部２２１は、分析対象の抽出処理によって抽出された、所定の分析対象疾患における分析対象医療行為履歴を、切換えパターン抽出部２２２に渡す。
【０１３０】
次に、切換えパターン抽出部２２２は、分析対象抽出部２２１から受け取った分析対象医療行為履歴を参照し、切換えパターンの抽出処理を実行する（ステップＳ１０２）。切換えパターン抽出部２２２は、切換えパターンの抽出処理によって生成された切換えパターンリスト２１５を、記憶部２１に記憶する。
【０１３１】
次に、治療継続期間算出部２２３は、記憶部２１に記憶された切換えパターンリスト２１５を参照して、治療継続期間の算出処理を実行する（ステップＳ１０３）。治療継続期間算出部２２３は、治療継続期間の算出処理によって生成された治療継続期間リスト２１６を、記憶部２１に記憶する。
【０１３２】
次に、切換え頻度算出部２２４は、記憶部２１に記憶された切換えパターンリスト２１５を参照して、切換え頻度の算出処理を実行する（ステップＳ１０４）。切換え頻度算出部２２４は、切換え頻度の算出処理によって生成された切換え頻度リスト２１７及び患者別切換え頻度リスト２１８を記憶部２１に記憶する。
【０１３３】
次に、注目度算出部２２５は、記憶部２１に記憶された治療継続期間リスト２１６及び患者別切換え頻度リスト２１８に基づいて、注目度の算出処理を実行する（ステップＳ１０５）。注目度算出部２２５は、注目度の算出処理によって生成された注目度リスト２１９を記憶部２１に記憶する。
【０１３４】
次に、データ出力処理部２２６は、記憶部２１に記憶された注目度リスト２１９に含まれる切換えパターンのうち、注目度が算出された切換えパターン及びその注目度を、算出結果として、記憶部２１に記憶する（ステップＳ１０６）。
【０１３５】
次に、データ出力処理部２２６は、記憶部２１に記憶された診療実績データ（患者疾患リスト２１１、患者医療行為履歴２１２及び疾患別医療行為リスト２１３）を参照し、分析対象疾患として特定していない疾患が存在するか否かを判定する（ステップＳ１０７）。そして、データ出力処理部２２６は、分析対象疾患として特定していない疾患が存在すると判定した場合（ステップＳ１０７−Ｙｅｓ）、ステップＳ１０１に処理を戻し、分析対象疾患として特定していない疾患が存在しないと判定した場合（ステップＳ１０７−Ｎｏ）、注目度算出処理の一連のステップを終了する。
【０１３６】
（データ出力処理部２２６による動作）
情報処理部２２のデータ出力処理部２２６は、第１通信部２３を介して、表示装置３又は分析装置から、算出結果の取得要求を受け取ると、記憶部２１に記憶された算出結果を記憶部２１から読み出して、取得要求を出力した装置に、読み出した算出結果を出力する。なお、取得要求に対象疾患情報が含まれている場合、データ出力処理部２２６は、当該対象疾患情報に係る算出結果のみを出力してもよい。また、データ出力処理部２２６は、記憶部２１から算出結果を読み出したのち、注目度に応じて算出結果を取捨選択してから、表示装置３又は分析装置に算出結果を出力してもよい。また、データ出力処理部２２６が、表示装置３又は分析装置からの取得要求を受け取った後に、上述の分析対象の抽出処理、切換えパターンの抽出処理、治療継続期間の算出処理、切換え頻度の算出処理、注目度の算出処理が行われてもよい。
【０１３７】
（表示装置３又は分析装置の動作）
評価者が、表示装置３又は分析装置を操作して情報処理装置２に算出結果の取得要求を出力すると、情報処理装置２から算出結果を取得する。このとき、評価者が、表示装置３又は分析装置を操作して、評価を行いたい対象（例えば、対象疾患情報）を選択すると、情報処理装置２に対して、対象疾患情報を含んだ取得要求を出力し、表示装置３又は分析装置は、情報処理装置２から送信された対象疾患情報に対応する算出結果を取得する。表示装置３又は分析装置は、算出結果を取得すると、注目度に応じた表示又は分析を行う。
【０１３８】
表示装置３又は分析装置は、情報処理装置２から全ての疾患の算出結果を取得してから、表示又は分析する対象を選択し、選択された対象のみを表示又は分析してもよい。なお、分析装置は、さらに表示装置３へ分析結果を出力してもよく、この場合、表示装置３は分析装置から取得した分析結果を表示する。
【０１３９】
なお、記憶部２１に代えて、情報処理装置２とは異なる一又は複数の記憶装置を設けてもよい。この場合、表示装置３又は分析装置は、一又は複数の記憶憶装置から算出結果を取得する。
【０１４０】
上述のとおり、診療情報処理システム１は、治療内容の履歴に含まれる切換えパターンの出現回数に基づく第１の注目度、又は、切換えパターンにおける後の治療内容の継続期間に基づいて当該切換えパターンの第２の注目度を算出し、切換えパターン毎に、第１又は第２の注目度に応じた形態で出力する。これにより、診療実績データに基づく治療内容の切換えの妥当性を評価する際に、患者の病態の変化を要因とする治療内容の切換えと患者の病態以外の要因による治療内容の切換えとを区別することが可能となる。
【０１４１】
当業者は、本発明の精神及び範囲から外れることなく、様々な変更、置換及び修正をこれに加えることが可能であることを理解されたい。
【符号の説明】
【０１４２】
１    診療情報処理システム
２    情報処理装置
２１    記憶部
２１１    患者疾患リスト
２１２    患者医療行為履歴
２１３    疾患別医療行為リスト
２１４    治療内容リスト
２１５    切換えパターンリスト
２１６    治療継続期間リスト
２１７    切換え頻度リスト
２１８    患者別切換え頻度リスト
２１９    注目度リスト
２２    情報処理部
２２１    分析対象抽出部
２２２    切換えパターン抽出部
２２３    治療継続期間算出部
２２４    切換え頻度算出部
２２５    注目度算出部
２２６    データ出力処理部
２３    第１通信部
３    表示装置
３１    第２通信部
３２    表示出力処理部
３３    モニタ部
４    通信ネットワーク
【図１】
2018124764.tif 000003
【図２】
2018124764.tif 000004
【図３】
2018124764.tif 000005
【図４】
2018124764.tif 000006
【図５】
2018124764.tif 000007
【図６】
2018124764.tif 000008
【図７】
2018124764.tif 000009
【図８】
2018124764.tif 000010
【図９】
2018124764.tif 000011
【図１０】
2018124764.tif 000012